(57)【特許請求の範囲】
【請求項１】
本体スリーブと、本体スリーブに設けられるシャックルと、本体スリーブに対して軸方向に移動可能に設けられて本体スリーブの軸方向一端から突出する本体ボルトと本体スリーブの軸方向他端から突出する挿入端部とを有するシャフトと、本体スリーブに対して軸方向移動不能且つ回転可能に設けられる回転体と、シャフトの挿入端部の両側に突出する突出位置とシャフトの挿入端部内に実質的に収容される埋没位置とを取り得る可動プレートと、可動プレートを常に突出位置に向けて付勢する付勢手段と、付勢手段の付勢力に抗して可動プレートを埋没位置に向けて回転させるための操作手段と、を有し、回転体は、本体スリーブに対して回転自在に収容される内筒と、本体スリーブの軸方向一端に実質的に当接するように内筒の一端に一体に設けられて本体ボルトを螺通する調整ナットと、本体スリーブの軸方向他端に実質的に当接するように内筒の他端に一体に設けられるカラーとを有してなり、調整ナットと本体ボルトとの螺合を介してワークの板厚に応じた軸方向位置に移動させた回転体のカラーと突出位置にある可動プレートとの間にワークを挟んで締付可能に構成されたことを特徴とする穴吊りクランプ。
【請求項２】
前記可動プレートは、突出位置にあるときに、シャフトの軸心に直交する面に対して所定角度、付勢手段による付勢力が作用する方向に傾斜していることを特徴とする、請求項１記載の穴吊りクランプ。
【請求項３】
前記付勢手段は前記本体ボルトに内蔵される圧縮バネであり、前記操作手段はこの圧縮バネと係合して前記本体ボルトの頭部に軸方向移動可能に収容される開放ボタンであり、開放ボタンを圧縮バネの付勢力に抗して押し込んだときに可動プレートを突出位置から埋没位置に移動させるように構成されてなることを特徴とする、請求項１または２記載の穴吊りクランプ。
【請求項４】
前記開放ボタンがボルト頭部に対して回転することを防止する回転防止手段が設けられることを特徴とする、請求項３記載の穴吊りクランプ。
【請求項５】
前記開放ボタンにその一端が固着された開放アームが前記シャフトの内部を通ってその他端が前記可動プレートに固着され、開放ボタンの軸方向移動が開放アームを介して可動プレートに伝達されて可動プレートを回転させることを特徴とする、請求項３または４記載の穴吊りクランプ。
【発明の詳細な説明】
【技術分野】
【０００１】
本発明は、取付や組立などのためにあらかじめ形成された穴を利用して鋼材などのワークを吊り上げる穴吊りクランプ（穴吊り冶具）に関する。
【背景技術】
【０００２】
たとえば建築現場で鉄骨を組み立てる作業を行う際に、鉄骨に設けられている組立用のボルト穴や鉄骨に付属するアイプレートの穴を利用して穴吊りクランプを装着して、クレーンで鉄骨を吊り上げることが広く行われている。このような穴吊りクランプは、たとえば特許文献１，２などに公知であり、一般に、一対の脚部の間に下向きに開口するワーク挿入口を備えた本体と、この本体の一対の脚部間に係脱自在に架け渡されるボルトないし吊ピンとから構成され、本体のワーク挿入口にワークの端部を挿入し且つ該ワークの端部を貫通する穴にボルトないし吊ピンを通した状態で該ワークを吊り上げるように構成されている。
【先行技術文献】
【特許文献】
【０００３】
【特許文献１】特開２００３−３３５４９４号公報
【特許文献２】特開２０１２−０１２１４６号公報
【発明の開示】
【発明が解決しようとする課題】
【０００４】
これら従来技術による穴吊りクランプでは、本体の一方の側からボルトないし吊りピンを通して反対側でナットやストッパーなどでワークから脱落しないように装着するので、本体の両側で作業する必要があり、作業効率および安全性の面で問題があった。
【０００５】
また、従来技術による穴吊りクランプでは、本体の一対の脚部の間に吊り上げようとするワークを挿入するので、ワークの肉厚変化に対応することができない。すなわち、吊り上げようとするワークの肉厚より大きい脚部間隔を有する穴吊りクランプを用いる必要があるが、ワークの両側に穴吊りクランプを密接させた状態とすることができないため、吊り上げ作業中にワークが軸方向にずれてしまい、安定した吊り上げを行うことができない。また、吊り上げ作業中にボルトないし吊りピンの軸方向に対して横方向からの外力が加わると、ボルトないし吊りピンに大きな曲げ力が作用し、最悪の場合にはボルトないし吊りピンが折損してワークを落下させる危険があった。
【０００６】
したがって、本発明の課題は、異なる肉厚を有する多種多様なワークを効率的且つ安全に穴吊りすることができる新規構成の穴吊りクランプを提供することにある。
【課題を解決するための手段】
【０００７】
上記課題を解決するため、請求項１に係る本発明は、本体スリーブと、本体スリーブに設けられるシャックルと、本体スリーブに対して軸方向に移動可能に設けられて本体スリーブの軸方向一端から突出する本体ボルトと本体スリーブの軸方向他端から突出する挿入端部とを有するシャフトと、本体スリーブに対して軸方向移動不能且つ回転可能に設けられる回転体と、シャフトの挿入端部の両側に突出する突出位置とシャフトの挿入端部内に実質的に収容される埋没位置とを取り得る可動プレートと、可動プレートを常に突出位置に向けて付勢する付勢手段と、付勢手段の付勢力に抗して可動プレートを埋没位置に向けて回転させるための操作手段と、を有し、回転体は、本体スリーブに対して回転自在に収容される内筒と、本体スリーブの軸方向一端に実質的に当接するように内筒の一端に一体に設けられて本体ボルトを螺通する調整ナットと、本体スリーブの軸方向他端に実質的に当接するように内筒の他端に一体に設けられるカラーとを有してなり、調整ナットと本体ボルトとの螺合を介してワークの板厚に応じた軸方向位置に移動させた回転体のカラーと突出位置にある可動プレートとの間にワークを挟んで締付可能に構成されたことを特徴とする穴吊りクランプである。
【０００８】
請求項２に係る本発明は、請求項１記載の穴吊りクランプにおいて、前記可動プレートは、突出位置にあるときに、シャフトの軸心に直交する面に対して所定角度、付勢手段による付勢力が作用する方向に傾斜していることを特徴とする。
【００１１】
請求項３に係る本発明は、請求項１または２記載の穴吊りクランプにおいて、前記付勢手段は前記本体ボルトに内蔵される圧縮バネであり、前記操作手段はこの圧縮バネと係合して前記本体ボルトの頭部に軸方向移動可能に収容される開放ボタンであり、開放ボタンを圧縮バネの付勢力に抗して押し込んだときに可動プレートを突出位置から埋没位置に移動させるように構成されてなることを特徴とする。
【００１２】
請求項４に係る本発明は、請求項３記載の穴吊りクランプにおいて、前記開放ボタンがボルト頭部に対して回転することを防止する回転防止手段が設けられることを特徴とする。
【００１３】
請求項５に係る本発明は、請求項３または４記載の穴吊りクランプにおいて、前記開放ボタンにその一端が固着された開放アームが前記シャフトの内部を通ってその他端が前記可動プレートに固着され、開放ボタンの軸方向移動が開放アームを介して可動プレートに伝達されて可動プレートを回転させることを特徴とする。
【発明の効果】
【００１４】
請求項１に係る本発明によれば、操作手段により可動プレートを埋没位置とした状態でシャフトの第二突出部をワークの一面側から穴に挿入し、第二突出部をワークの他面側に突出させた後に操作手段による操作を解除して可動プレートを突出位置に戻すことにより、ワークを本体スリーブと可動プレートとの間に挟んで吊り上げることができる。したがって、従来技術のように、ワークの両面側での作業が不要となり、片面側からの作業のみで効率的且つ安全にワークを吊り上げることができる。
【００１５】
また、シャフトを本体スリーブに対して軸方向に移動させることにより、吊り上げようとするワークの肉厚に応じて本体スリーブと可動プレートとの間の間隔を自在に調整することができる。したがって、この穴吊りクランプを、異なる肉厚を有する各種のワークに適用しても、軸方向にずれを生じさせることなく、安全に穴吊り作業を行うことができる。
【００１６】
また、本体スリーブに対して軸方向移動不能且つ回転可能に設けられる回転体に対してシャフトが軸方向に移動可能に設けられるので、吊り上げようとするワークの肉厚に応じて本体スリーブと可動プレートとの間の間隔を調整した状態において、その間隔を保持したまま、本体スリーブと回転体（およびシャフト）とを相対的に回転させることができる。したがって、ワークに対する可動プレートの当接位置やシャックルの向きを必要に応じて自在に変えることにより、最適な条件の下で安全且つ効率的にワークを吊り上げることができる。
【００１７】
さらに、回転体のたとえばカラーを片手で押えながら、回転体の調整ナットに螺合される本体ボルトをその頭部を手で持って回すことにより、吊り上げようとするワーク肉厚に応じた間隔調整を容易に行うことができる。また、回転体を押さえずに本体ボルトの頭部を手で回せば、シャフトと回転体とが一体となって本体スリーブに対して回転するので、可動部レートやシャックルの位置ないし向きを変える操作も円滑に行うことができる。
【００１８】
請求項２に係る本発明によれば、可動プレートが突出位置にあるときの回転角度位置が付勢方向に傾斜しているので、操作手段による操作を解除してワークに当接させたときに、突出位置から付勢力に抗して傾斜角度分（またはワーク面が傾斜しているときはその傾斜角度との差または和に相当する角度分）だけ回転して、ワーク面に密接する。したがって、ワークを本体スリーブと可動プレートとの間の間隔をワークの肉厚に応じて調整することによる作用に加えて、可動プレートを介して付勢手段の付勢力をワークに与えて締め付ける作用が発揮されるので、穴吊り作業の安全性をより向上させることができる。
【００１９】
請求項３に係る本発明によれば、ワーク肉厚に応じた間隔調整を行う際にはボルト頭部を手で回して操作し、可動プレートを突出位置から埋没位置に移動させる際にはボルト頭部に内設された開放ボタンを押して操作するので、いずれも同じボルト頭部での操作であって分かりやすく且つ片手で容易に操作することができる。
【００２０】
請求項４に係る本発明によれば、開放ボタンがボルト頭部に対して軸方向移動のみが許容されて相対回転が防止されるので、その押し込み動作が安定し、円滑な操作が可能である。
【００２１】
請求項５に係る本発明によれば、開放ボタンと可動プレートが開放アームを介して連結されているので、開放ボタンの押し込み動作により可動プレートを突出位置から埋没位置に移動させ、この押し込み動作を解除することにより可動プレートを突出位置に復帰させる操作を簡単な構成で容易に実現させることができる。
【図面の簡単な説明】
【００２２】
【図１】本発明の一実施形態による穴吊りクランプの正面図である。
【図２】この穴吊りクランプの側面図である。
【図３】この穴吊りクランプで吊り上げ可能な最小肉厚のワークに使用する場合の状態図である。
【図４】この穴吊りクランプで吊り上げ可能な最大肉厚のワークに使用する場合の状態図である。
【図５】この穴吊りクランプを用いてワークを吊り上げる際の予備的な動作状態を示す図である。
【図６】この穴吊りクランプを用いてワークを吊り上げる際の最終的な動作状態を示す図である。
【図７】この穴吊りクランプを用いてワークを一般的な吊り上げ方向に吊り上げる際の動作状態図である。
【図８】この穴吊りクランプを用いてワークを他の吊り上げ方向に吊り上げる際の動作状態図である。
【図９】この穴吊りクランプの本体ボルトの頭部上面拡大図である。
【図１０】この穴吊りクランプを用いてみぞ形鋼を吊り上げる際の動作説明図である。
【図１１】この穴吊りクランプを用いてＩ形鋼を吊り上げる際の動作説明図である。
【図１２】この穴吊りクランプを用いてみぞ形鋼を吊り上げる際の動作説明図である。
【図１３】この穴吊りクランプを用いてＩ形鋼を吊り上げる際の動作説明図である。
【発明を実施するための最良の形態】
【００２３】
本発明について実施例を挙げて添付図面を参照しながら詳細に説明する。ただし、本発明はこれに限定されるものではなく、特許請求の範囲に記載された発明の範囲内において幅広い実施形態を取り得るものである。
【００２４】
図１および図２を参照して、穴吊りクランプ１０は、略円筒状に形成された本体スリーブ１１を有する。本体スリーブ１１の側方には、一対の取付片１２，１２が所定間隔をおいて平行に形成され、これら取付片１２，１２に通したシャックルボルト１３により略Ｕ字形のシャックル１４が回動自在に連結されている。この実施例では、固定の頭部１３ａを有するシャックルボルト１３を延長部１２，１２のボルト穴（符号省略）の一方から通して他方の外側でナット３２を締着することによってシャックル１４を連結し、ナット３２のさらに外側に位置するように形成されたシャックルボルト１３の先端穴（符号省略）に割ピン１５を通してナット３２の抜け落ちを防止している。
【００２５】
本体スリーブ１１には回転体１６が装着されている。回転体１６は、本体スリーブ１１内に相対回転自在に収容される内筒１７と、この内筒１７の一端（図１および図２において上端）に設けられる調整ナット１８と、内筒１７の他端（図１および図２において下端）に設けられるカラー１９とを有して一体に形成され、調整ナット１８は本体スリーブ１１の一端面（上端面）に実質的に当接して位置し、カラー１９は本体スリーブ１１の他端面（下端面）に実質的に当接して位置している。したがって、回転体１６は内筒１７、調整ナット１８およびカラー１９が一体となって本体スリーブ１１に対して相対回転自在であるが、調整ナット１８とカラー１９で本体スリーブ１１を軸方向両端から挟み込んでいるので、本体スリーブ１１に対して軸方向には実質的に移動不能である。
【００２６】
本体スリーブ１１に対して軸方向に移動可能に設けられるシャフト２０は、一端（上端）に頭部２１ａを有する本体ボルト２１（第一突出部）と、本体ボルト２１から他端（下端）方向に延長する挿入端部２２（第二突出部）とを有して一体に形成されている。本体ボルト２１は本体スリーブ１１の一端（上端）において回転体１６の調整ナット１８に螺合されて本体スリーブ１１および内筒１７内を挿通し、挿入端部２２は本体スリーブ１１の他端（下端）から突出している。
【００２７】
挿入端部２２は、本体ボルト２１の軸径の範囲内に形成された一対の平行片２３，２３を有する。これら平行片２３，２３は、それらの先端においてカラー３３を介してカシメピン２４で連結されることにより所定間隔を保持しており、さらに、該間隔内にはカシメピン２５を介して可動プレート２６が回動自在に設けられている。可動プレート２６は、平行片２３，２３同士の間隔に応じた厚み寸法を有すると共に、略方形状の平面形状を有しており、その平面形状の幅方向中心にカシメピン２５を通すことにより該カシメピン２５を回転中心として回動自在とされている。可動プレート２６が図１に示す位置にあるとき、可動プレート２６は本体ボルト２１の軸径を超えて挿入端部２２の両側に突出しているが、この状態から約９０度回転すると可動プレート２６は本体ボルト２１の軸径寸法内に納まって挿入端部２２内に埋没する。
【００２８】
既述したように本体ボルト２１は回転体１６の調整ナット１８に螺合されているので、回転体１６が本体スリーブ１１に対して回転しないように調整ナット１８やカラー１９を片手で押えながらボルト頭部２１ａを回すと、本体ボルト２１や挿入端部２２などを含むシャフト２０が本体スリーブ１１に対して軸方向に移動するので、これによりカラー１９（ワークの一側面に対する当接面を与える）と可動プレート２６（ワークの他側面に対する当接面を与える）との間の間隔Ｘを、吊り上げようとするワークの肉厚に応じて調整可能である。一方、調整ナット１８やカラー１９を押さえずにボルト頭部２１ａを回したときは、シャフト２０が回転体１６と共に本体スリーブ１１に対して回転（空転）するので、本体スリーブ１１に対する軸方向移動は行われず、上記間隔Ｘを保持したままシャックル１４や可動プレート２６の向き（本体スリーブ１１に対する回転角度位置）を変えることができる。
【００２９】
ボルト頭部２１ａは円筒状に形成され、その中空部２１ｂに操作手段としての開放ボタン２７が収容されている。開放ボタン２７は、中空部２１ｂの軸方向長さの範囲内でボルト頭部２１ａ（したがって本体ボルト２１ないしシャフト２０）に対して軸方向に移動可能であるが、ボルト頭部２１ａの開放端部に嵌着されたスナップリング２８により抜け止めされている。また、開放ボタン２７の外周面には軸方向に延長する溝（符号省略）が形成されており、中空部２１ｂの内面から突出して軸方向に延長するように設けられたピン２９（該内面に形成された突条であっても良い）がこの溝に嵌合することにより、開放ボタン２７がボルト頭部２１ａ（したがって本体ボルト２１ないしシャフト２０）に対して回転することを防止している。すなわち、これらの溝およびピン２９（または突条）は、開放ボタン２７がボルト頭部２１ａに対して軸方向にスムーズに移動することを許容すると共に相対回転を防止する回転防止手段として働く。なお、スナップリング２８およびピン２９の配置については図９を併せて参照されたい。
【００３０】
ボルト頭部２１ａの中空部２１ｂはその奥方においてより小径に形成されたボルト中空部２１ｃに連続している。開放ボタン２７は全体がＴ字形の断面形状を有するものとして形成され、その軸部２７ａがこの中空部２１ｃに挿入されている。そして、中空部２１ｃの奥底部には付勢手段としての圧縮バネ３０が配置され、この圧縮バネ３０が開放ボタン軸部２７ａの先端面に当接することにより、常に開放ボタン２７を図の上方に向けて付勢する付勢力を与えている。したがって、開放ボタン２７を圧縮バネ３０の付勢力に抗して押し込む力を与えない限り、開放ボタン２７はスナップリング２８によって抜け止めされた位置を維持する。
【００３１】
さらに、開放ボタン２７の軸部２７ａから図の下方に向けて延長する開放アーム３１が設けられている。開放アーム３１は鋼線などで形成され、その一端が開放ボタン２７に固定され、ボルト中空部２１ｃおよびその下方の穴２１ｄを通って挿入端部２２の一対の突出片２３，２３間の間隔２３ａに導かれ、他端が可動プレート２６に固定されている。開放アーム３１の可動プレート２６に対する固定点は、可動プレート２６の回転中心（カシメピン２５）から幅方向に偏倚している。したがって、図１および図２の状態から開放ボタン２７を圧縮バネ３０の付勢力に抗して押し込むと、開放ボタン２７と共に軸方向に移動する開放アーム３１を介して可動プレート２６を所定方向（この実施例では図１において反時計方向）に回転させることができる。開放ボタン２７の移動ストロークは、その厚さとボルト中空部２１ｂの軸方向長さとの関係によって決定され、開放ボタン２７を最大限に押し込んだときに可動プレート２６を約９０度回転させることができるように設計される。開放アーム３１は、本体ボルト２１の軸心を通って図において下方に延長するが、可動プレート２６の回転動作に干渉しない位置で折り曲げられて、可動プレート２６の偏心位置に固定されている。
【００３２】
以上に説明した構成を有する穴吊りクランプ１０の作用ないし用法について説明する。
【００３３】
まず、図３および図４を参照して、この穴吊りクランプ１０が所定範囲内において異なる肉厚のワークに適用可能であることについて説明する。この特徴は、既述したように本体ボルト２１が回転体１６の調整ナット１８に螺合されていることによって実現される。すなわち、回転体１６が本体スリーブ１１に対して回転しないように調整ナット１８やカラー１９を片手で押えながら、ボルト頭部２１ａを一方向（この実施例では時計方向）に回すとボルト頭部２１ａが調整ナット１８に徐々に近付いていくのでカラー１９（ワークの一側面に対する当接面を与える）と可動プレート２６（ワークの他側面に対する当接面を与える）との間の間隔Ｘが大きくなり、ボルト頭部２１ａを反対方向に回すとボルト頭部２１ａが調整ナット１８から徐々に離れていくので間隔Ｘが小さくなる。このようにして、吊り上げようとするワークの肉厚に応じて間隔Ｘを調整することができる。図３はこの間隔Ｘを最小寸法Ｘ１にした場合を示し、図４はこの間隔を最大寸法Ｘ２にした場合を示す。すなわち、この穴吊りクランプ１０は、肉厚がＸ１〜Ｘ２の範囲にあるワークを安全に吊り上げることができるように設計されたものである。
【００３４】
次に、図５および図６を参照して、この穴吊りクランプ１０を用いてワークＷを穴吊りする際の作用ないし用法を説明する。ワークＷはＨ形鋼、鋼板、みぞ形鋼、Ｉ形鋼などであり、組立用などに用いられる穴Ｈを有する。ワークＷを穴吊りする作業を開始する前に、上述した本体ボルト２１の回転操作により、該ワークＷの肉厚に応じて間隔ＸをＸ１〜Ｘ２の範囲内で調整しておく。
【００３５】
図５には、穴吊りクランプ１０のシャフト２０の挿入端部２２をワークＷの一面Ｗａ側から穴Ｈに挿入して他面Ｗｂ側に突出させた状態が示されている。この例では、平行に保持されたワークＷの上方から挿入端部２２を穴Ｈに挿入している。既述したように、常態においては圧縮バネ３０の付勢力により可動プレート２６は挿入端部２２の両側に突出した回転角度位置（図１、図５に二点鎖線で示す位置、以下「突出位置」）に維持されているので、カラー１９をワークＷの上面Ｗａに押し付けながら、開放ボタン２７を押して可動プレート２６を図において反時計方向に回転させて挿入端部２２の外径内に収容される位置（図５に実線で示す位置、以下「埋没状態」）に移動させ、このままの状態で挿入端部２２をワークＷの穴Ｈに挿入していく。そして、可動プレート２６をワークＷの他面Ｗｂ側に完全に突出させた後に開放ボタン２７から手を離すことにより、可動プレート２６は圧縮バネ３０の付勢力を受けた開放アーム３１に引っ張られて図において時計方向（図５中の矢印方向）に回転して、前記突出位置に自動的に復帰する。
【００３６】
この時点では図５に示すように可動プレート２６とワーク下面Ｗｂとの間には隙間があるので、調整ナット１８の上に手を当ててカラー１９をワーク上面Ｗａに押し付けた状態を維持しながらボルト頭部２１ａを回すことができ、これによってワーク下面Ｗｂに対する可動プレート２６の当接位置を任意に調整することができる。
【００３７】
必要に応じて上記調整を行った後に穴吊りクランプ１０を引き上げていくと、突出位置にある可動プレート２６の上面がワークＷの下面Ｗｂに密接して、カラー１９との間でワークＷを両側から挟み込む。既述したようにカラー１９と可動プレート２６の上面との間の間隔ＸはワークＷの肉厚に応じてあらかじめ調整されているので、可動プレート２６に働く圧縮バネ３０の付勢力とも相俟って（詳しくは後述）、ワークＷを両側から締め付けてしっかり保持する。これでワークＷに対する穴吊りクランプ１０のセットが完了し、クレーンなど（図示せず）でシャックル１４を介して穴吊りクランプ１０を吊り上げることにより、吊り上げ中にワークＷが軸方向にずれることなく、安定した姿勢で穴吊り作業を行うことができる。シャックル１４はシャックルボルト１３を介して本体スリーブ１１に対して回転自在に連結されているので、ワークＷの板面に垂直な方向に吊り上げる一般的な吊り上げ方向（図７）のほか、ワークＷの板面に平行な方向に吊り上げることも可能である（図８）。
【００３８】
可動プレート２６が突出位置にあるときの回転角度位置は、ボルト頭部２１ａが圧縮バネ３０により上方に押し上げられてスナップリング２８で位置規制されたときの回転角度位置であるところ、カラー１９の下面と平行になるように設計しても良いが、この実施例では、図１、図３および図４に示すように、カラー１９の下面（鋼板上面Ｗａに対する当接面）に対してわずかな角度θ（図３に表示、たとえば約７度）だけ圧縮バネ３０の付勢方向に傾いた回転角度位置を取るように設計されている。このように設計することにより、図５の状態から穴吊りクランプ１０の挿入端部２２を引き上げていくと、挿入端部２２の両側に突出する可動プレート２６の両側部分のうちまず傾斜上方（図において左側）側部分の上面がワークＷの下面Ｗｂに当たり、さらに引き上げることにより可動プレート２６が圧縮バネ３０の付勢力に抗して傾斜角度θ分だけ反時計方向に回転して、可動プレート２６の上面がワーク下面Ｗｂに面で密接する図６の状態へと移行することになる。このとき、開放ボタン２７はスナップリグ２８によって規制された上限位置からわずかに押し下げられた位置を取る。したがって、ワーク下面Ｗｂには可動プレート２６を介して圧縮バネ３０が上限位置に復帰しようとする付勢力が働くことになり、カラー１９との間でワークＷを両側から締め付けて保持する作用をより顕著に発揮することができる。
【００３９】
図５〜図８においてワークＷを鋼板として示したが、この穴吊りクランプ１０で穴吊り可能なワークＷはこれに限定されない。たとえば、図１０はこの穴吊りクランプ１０を用いてみぞ形鋼Ｗを吊り上げる場合を示す。みぞ形鋼Ｗは傾斜勾配α（たとえば約５度）を有するフランジ部Ｗｃに取付穴Ｈが形成されたものが多いが、この場合も、前述したと同様にして穴吊りクランプ１０を取付穴Ｈに装着することが可能である。可動プレート２６はバネ無負荷時の突出位置にあるときにその上面が角度θだけ傾斜しているので、可動プレート２６の上面をフランジ部Ｗｃの下面に密接させた状態（図１０）ではそれらの傾斜角度の差（θ−α）に相当する角度だけ圧縮バネ３０の付勢力に抗して回転した状態となっている。したがって、鋼板Ｗを穴吊りする場合（図６）と同様に、フランジ部Ｗｃの下面に圧縮バネ３０の付勢力を働かせて、カラー１９との間でみぞ形鋼Ｗを強固に締め付けて保持することができる。
【００４０】
図１１はこの穴吊りクランプ１０を用いてＩ形鋼Ｗを吊り上げる場合を示す。Ｉ形鋼Ｗは傾斜勾配β（たとえば約８度）を有するフランジ部Ｗｄに取付穴Ｈが形成されたものが多いが、この場合も、前述したと同様にして穴吊りクランプ１０を取付穴Ｈに装着することが可能である。すなわち、可動プレート２６はバネ無負荷時の突出状態においてその上面が角度θだけ傾斜しており、しかもこの傾斜方向はフランジ部Ｗｄの下面の傾斜方向とは反対方向であるので、可動プレート２６の上面をフランジ部Ｗｄの下面に密接させた状態（図１０）ではそれらの傾斜角度の和（θ＋β）に相当する角度だけ圧縮バネ３０の付勢力に抗して回転した状態となっている。したがって、鋼板Ｗを穴吊りする場合（図６）と同様に、フランジ部Ｗｄの下面に圧縮バネ３０の付勢力を働かせて、カラー１９との間でＩ形鋼Ｗを強固に締め付けて保持することができる。
【００４１】
図１０および図１１では、フランジ部Ｗｃ，Ｗｄの下面に対して可動プレート２６の上面がフランジ延長方向に沿って当接する角度位置で穴吊りクランプ１０がセットされているが、フランジ部Ｗｃ，Ｗｄの突出長によっては、この角度位置で可動プレート２６を当接させると、可動プレート２６の一部がフランジ部Ｗｃ，Ｗｄの先端から突出してしまったり、あるいはワークＷのウエブＷｅ，Ｗｆに干渉してしまうことがある。このような場合は、図１２および図１３に示すように、可動プレート２６を図１０、図１１の角度位置から約９０度回転させた状態でフランジ部Ｗｃ，Ｗｄの下面に当接させて穴吊りを行えば良い。これは、挿入端部２２をワークＷの反対側に完全に突出させた状態（図５の状態）でボルト頭部２１ａを手で回してシャフト２０全体を任意方向に任意角度だけ回転することによって容易に実現可能である。既述したように、シャフト２０は回転体１８と共に本体スリーブ１１に対して回転自在であるから、ボルト頭部２１ａを手で持ってシャフト２０を回転させれば、ワークＷの肉厚に応じて調整した間隔Ｘを保持したまま、本体スリーブ１１に対して空転させて可動プレート２６の角度位置を自在に変更することができる。また、シャックル１４は本体プレート１１に対して回転自在であるから、穴吊りクランプ１０をワークＷにセットした状態でシャックル１４を回転させて、クレーンなどによる吊り上げに適した角度位置にシャックル１４を移動させることができる。
【符号の説明】
【００４２】
１０  穴吊りクランプ
１１  本体スリーブ
１２  取付片
１３  シャックルボルト
１４  シャックル
１５  割ピン
１６  回転体
１７  内筒
１８  調整ナット
１９  カラー
２０  シャフト
２１  本体ボルト（第一突出部）
２１ａ  ボルト頭部
２１ｂ  ボルト頭部の中空部
２１ｃ  ボルトの中空部
２２  挿入端部（第二突出部）
２３  平行片
２４  カシメピン
２５  カシメピン
２６  可動プレート
２７  開放ボタン（操作手段）
２８  スナップリング
２９  ピン（回転防止手段）
３０  圧縮バネ
３１  開放アーム
３２  ナット
３３  平行片間の間隔
Ｗ  ワーク
Ｗａ  ワークの一面（上面）
Ｗｂ  ワークの他面（下面）
Ｗｃ  フランジ部
Ｗｄ  フランジ部
Ｗｅ  ウエブ
Ｗｆ  ウエブ
Ｈ  ワークの穴
Ｘ  ワークの肉厚に応じて調整可能な間隔
Ｘ１  Ｘの最小値
Ｘ２  Ｘの最大値
【図１】
0006307371.tif 000002
【図２】
0006307371.tif 000003
【図３】
0006307371.tif 000004
【図４】
0006307371.tif 000005
【図５】
0006307371.tif 000006
【図６】
0006307371.tif 000007
【図７】
0006307371.tif 000008
【図８】
0006307371.tif 000009
【図９】
0006307371.tif 000010
【図１０】
0006307371.tif 000011
【図１１】
0006307371.tif 000012
【図１２】
0006307371.tif 000013
【図１３】
0006307371.tif 000014